(57)【要約】【課題】電池部を内蔵するとともに非接触通信が可能な情報表示装置において、電池部を無駄に消耗させることなく情報を確実に表示する。【解決手段】非接触通信を行うためのアンテナ３１と、電力が供給されることにより情報を表示し、その後、電力の供給が停止した場合にその情報を表示しつづける表示部３７と、バッテリー３４の電力を表示部３７に供給することによって、アンテナ３１を介して受信した情報を表示部３７に表示させるＣＰＵ３５とを有し、ＣＰＵ３５は、アンテナ３１を介して受信した表示部３７に表示すべき情報が更新された場合にのみバッテリー３４の電力を表示部３７に供給する。【選択図】図２
2012118613.tif 000002
【特許請求の範囲】
【請求項１】
電池部と、非接触通信を行うためのアンテナと、電力が供給されることにより情報を表示し、その後、電力の供給が停止した場合に当該情報を表示しつづける表示部と、前記電池部の電力を前記表示部に供給することによって、前記アンテナを介して受信した情報を表示部に表示させる中央制御部とを有してなる情報表示装置において、
前記中央制御部は、前記アンテナを介して受信した前記表示部に表示すべき情報が更新された場合にのみ前記電池部の電力を前記表示部に供給することを特徴とする情報表示装置。
【請求項２】
請求項１に記載の情報表示装置において、
前記アンテナを介して受信した前記表示部に表示すべき情報を記憶するメモリを具備し、前記アンテナを介して受信した情報を前記メモリに記憶した場合にその旨を示す信号を前記中央制御部に送信する通信制御部を有し、
前記中央制御部は、前記通信制御部から前記信号を受信した場合に、前記メモリに記憶された情報が更新されているかどうかを確認し、更新されている場合にのみ前記電池部の電力を前記表示部に供給する情報表示装置。
【請求項３】
請求項２に記載の情報表示装置において、
前記中央制御部は、前記通信制御部から前記信号を受信するのみのスリープ状態となっており、前記通信制御部から前記信号を受信した場合に前記スリープ状態から起動状態となる情報表示装置。
【発明の詳細な説明】
【技術分野】
【０００１】
本発明は、非接触通信が可能な情報表示装置に関する。
【背景技術】
【０００２】
近年、情報化社会の進展に伴って、情報をカードに記録し、該カードを用いた情報管理や決済等が行われている。このような情報管理や決済等に用いられるカードは、ＩＣチップが内蔵されたＩＣカードや、磁気により情報が書き込まれた磁気カード等があり、専用の装置を用いて情報の書き込み及び読み出しが行われる。
【０００３】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードとがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みあるいは読み出しを行う際、カードを取り出して専用の装置に挿入する必要がなく取り扱いに便利なため、そのカード及び該カードに書き込まれた情報を読み取るための装置の急速な普及が進みつつある。
【０００４】
近年、このような非接触型ＩＣカードに情報表示機能を付加したものが考えられており、例えば、特許文献１に開示されている。この特許文献１に開示されたＩＣカード情報表示器は、リーダライタに近接することによってリーダライタから非接触通信で電力が供給され、この電力によって表示素子を駆動させ、リーダライタから送信されてきた情報やメモリに書き込まれた情報を表示することができるように構成されている。
【０００５】
ところが、リーダライタから非接触通信で供給された電力によって情報を表示する場合、特に、数百メガヘルツ以上の、マイクロ波帯やＵＨＦ帯（極超短波帯）を用いて非接触通信を行うものにおいては、リーダライタから非接触通信で供給される電力が小さいため、表示素子を駆動させて情報を表示するために必要な電力を得ることができず、情報を正確に表示することが困難となってしまう。
【０００６】
ここで、非接触型ＩＣカードに情報表示機能を付加した構成において、電池部を内蔵した表示器付非接触ＩＣカードが特許文献２に開示されている。この特許文献２に開示された表示器付非接触ＩＣカードは、リーダライタとの間にて非接触通信を行うためのアンテナと電池部とを具備する電源部を有し、この電源部からＩＣカード部や表示部に電力を供給するものである。このように電池部を内蔵することにより、情報を表示するために必要な電力を得ることができるようになる。
【先行技術文献】
【特許文献】
【０００７】
【特許文献１】特開２００４−２１２８８号公報
【特許文献２】特開２００１−５９２７号公報
【発明の概要】
【発明が解決しようとする課題】
【０００８】
しかしながら、上述したように非接触通信を行うためのアンテナと電池部とを具備する電源部からＩＣカード部や表示部に電力を供給するものにおいては、表示部にて情報を表示する場合のみならず、ＩＣカード部にてリーダライタとの間にて非接触通信を行う場合でも、電池部からＩＣカード部に電力が供給されることになるため、リーダライタとの間における非接触通信という微弱な電力しか必要でない場合でも電池部が消耗することとなり、電池部が無駄に消耗してしまうという問題点がある。
【０００９】
本発明は、上述したような従来の技術が有する問題点に鑑みてなされたものであって、電池部を内蔵するとともに非接触通信が可能な情報表示装置において、電池部を無駄に消耗させることなく情報を確実に表示することができる情報表示装置を提供することを目的とする。
【課題を解決するための手段】
【００１０】
上記目的を達成するために本発明は、
電池部と、非接触通信を行うためのアンテナと、電力が供給されることにより情報を表示し、その後、電力の供給が停止した場合に当該情報を表示しつづける表示部と、前記電池部の電力を前記表示部に供給することによって、前記アンテナを介して受信した情報を表示部に表示させる中央制御部とを有してなる情報表示装置において、
前記中央制御部は、前記アンテナを介して受信した前記表示部に表示すべき情報が更新された場合にのみ前記電池部の電力を前記表示部に供給することを特徴とする。
【００１１】
上記のように構成された本発明においては、表示部に表示すべき情報を送信するリーダライタに近接すると、リーダライタとアンテナとの間にて非接触通信が行われる。この際、電池部の電力は表示部に供給されていない。そして、表示部にて表示すべき情報がリーダライタから送信されてアンテナにて受信され、この受信された情報が更新されている場合は、中央制御部の制御によって電池部の電力が表示部に供給され、アンテナを介して受信された情報がその電力によって表示部に表示される。また、受信された情報が更新されていない場合は、中央制御部の制御によって電池部の電力が表示部に供給されず、表示部においては、表示されている情報がそのまま表示される。
【００１２】
このように、アンテナを介して受信した表示部に表示すべき情報が更新された場合に電池部の電力が表示部に供給されて更新された情報が表示され、それ以外の場合は、電池部の電力が表示部に供給されずに、表示部に表示されている情報がそのまま表示されるので、表示部にて表示すべき情報が更新された場合、その情報を表示部にて表示するために十分な電力が表示部に供給されて情報が確実に表示されながらも、電池部が無駄に消耗してしまうことがなくなる。
【００１３】
また、アンテナを介して受信した表示部に表示すべき情報を記憶するメモリを具備する通信制御部を有するものにおいては、アンテナを介した非接触通信による電力は不安定であるため、アンテナを介して受信してメモリに記憶した情報を中央制御部に送信するのではなく、アンテナを介して受信した情報をメモリに記憶した場合にその旨を示す信号を通信制御部から中央制御部に送信し、中央制御部が、通信制御部からその信号を受信した場合に、メモリに記憶された情報が更新されているかどうかを確認し、更新されている場合にのみ電池部の電力を表示部に供給することが考えられる。
【００１４】
また、中央制御部が、通信制御部からの信号を受信するのみのスリープ状態となっており、通信制御部からその信号を受信した場合にスリープ状態から起動状態となるようにすれば、中央制御部がメモリに記憶された情報が更新されているかどうかを確認するまでスリープ状態となり、電池部の消耗をさらに低減することができる。
【発明の効果】
【００１５】
以上説明したように本発明においては、アンテナを介して受信した表示部に表示すべき情報が更新された場合に電池部の電力が表示部に供給されて更新された情報が表示され、それ以外の場合は、電池部の電力が表示部に供給されずに、表示部に表示されている情報がそのまま表示されるので、表示部にて表示すべき情報が更新された場合、その情報を表示部にて表示するために十分な電力が表示部に供給され、電池部を無駄に消耗させることなく情報を確実に表示することができる。
【図面の簡単な説明】
【００１６】
【図１】本発明の情報表示装置の実施の一形態を示す図であり、（ａ）は表面図、（ｂ）は（ａ）に示したＡ−Ａ’断面図、（ｃ）は可変表示部におけるベース基材上の構成を示す図である。
【図２】図１に示した情報表示装置の機能ブロック図である。
【図３】図１に示した情報表示装置の利用形態を示す図である。
【図４】図１に示した情報表示装置を図３に示したように利用した場合の動作を説明するためのフローチャートである。
【発明を実施するための形態】
【００１７】
以下に、本発明の実施の形態について図面を参照して説明する。
【００１８】
図１は、本発明の情報表示装置の実施の一形態を示す図であり、（ａ）は表面図、（ｂ）は（ａ）に示したＡ−Ａ’断面図、（ｃ）は可変表示部２におけるベース基材１１上の構成を示す図である。
【００１９】
本形態は図１に示すように、ベース基材１１と透明導電膜基板１５との間に情報表示層１２が挟み込まれて構成されている。ベース基材１１の情報表示層１２に対向する面には、複数の表示電極２１ａ〜２１ｇ及びこれに接続された配線２２ａ〜２２ｇ、並びに導体部２４ａ，２４ｂが形成されるとともに、通信制御部となるＵＨＦチップ２３が搭載されている。また、透明導電膜基板１５の情報表示層１２とは反対側の面には、マスク層１６が積層され、このマスク層１６上の一部に印刷層１７が形成され、この印刷層１７によって「イベントまであと」や「日」という任意の情報が表示されてなる固定表示部３が構成されている。
【００２０】
ベース基材１１は、例えばＰＥＴ等からなり、情報表示層１２と対向する面に、例えば、銀ペーストやカーボンペースト等の導電ペーストや導電インキを用いたスクリーン印刷によって表示電極２１ａ〜２１ｇ、配線２２ａ〜２２ｇ及び導体部２４ａ，２４ｂが形成されている。表示電極２１ａ〜２１ｇは、ベース基材１１上に、表示される情報に応じたパターンで形成されている。本形態は、この表示電極２１ａ〜２１ｇを用いて数字を表示するものであって、表示電極２１ａ〜２１ｇに対して選択的に電圧が印加され、“０”〜“９”の数字が表示されて可変表示部２を構成する。配線２２ａ〜２２ｇは、ベース基材１１の表示電極２１ａ〜２１ｇが形成された面において、その一端がそれぞれ表示電極２１ａ〜２１ｇに接続され、そこから可変表示部２の外部に引き出され、他端が、表示電極２１ａ〜２１ｇに選択的に電圧を印加するためのドライバ（不図示）に接続されて形成されている。そして、表示電極２１ａ〜２１ｇには、これら配線２２ａ〜２２ｇを介して選択的に電圧が印加されることになる。導体部２４ａ，２４ｂは、それぞれ二等辺三角形の形状を有し、二等辺三角形の頂点どうしが空隙を介して対向するようにベース基材１１上に形成されており、この二等辺三角形の頂点にＵＨＦチップ２３が接続されるように搭載されている。
【００２１】
透明導電膜基板１５は、ガラスや透明フィルム等からなる透明基板１４の一方の面に透明電極（例えば、ＩＴＯ）１３が形成されて構成されており、表示電極２１ａ〜２１ｇと透明電極１３とが対向配置し、これら表示電極２１ａ〜２１ｇと透明電極１３との間に情報表示層１２が挟み込まれている。
【００２２】
情報表示層１２は、表示電極２１ａ〜２１ｇと透明電極１３との間の電位差に応じて情報を表示するものであって、情報を表示している状態において、表示電極２１ａ〜２１ｇと透明電極１３との間に電位差が生じなくなっても、現在表示している情報を表示し続けるものである。そのため、透明電極１３に所定の電圧が印加されるとともに、表示電極２１ａ〜２１ｇに選択的に電圧が印加されることにより、可変表示部２にて“０”〜“９”の数字が表示されることになる。この情報表示層１２としては、例えば、電気泳動タイプや電子粉粒タイプ、エレクトロクロミック等が挙げられるが、マイクロカプセル方式の電気泳動タイプが最も好ましい。
【００２３】
以下に、上記のように構成された情報表示装置１の機能について説明する。
【００２４】
図２は、図１に示した情報表示装置１の機能ブロック図である。
【００２５】
図１に示した情報表示装置１は、図２に示すように、ベース基材１１上に形成された２つの導体部２４ａ，２４ｂからアンテナ３１が構成され、表示電極２１ａ〜２１ｇ及びこの表示電極２１ａ〜２１ｇに電圧を印加するためのドライバ（不図示）、並びに情報表示層１２から表示部３７が構成される。なお、アンテナ３１を構成する導体部２４ａ，２４ｂの形状は、図１に示したような二等辺三角形に限らない。
【００２６】
導体部２４ａ，２４ｂから構成されるアンテナ３１に接続されたＵＨＦチップ２３は、メモリ３３を有し、アンテナ３１を介して受信した情報をメモリ３３に記憶する。
【００２７】
ＵＨＦチップ２３には、中央制御部となるＣＰＵ３５が接続されている。ＣＰＵ３５は、内蔵されたプログラムやアンテナ３１を介して受信した情報に基づいて表示部３７の表示を制御するものであり、電池部であるバッテリー３４によって駆動する。また、ＣＰＵ３５には、昇圧回路３６が接続されており、バッテリー３４の電力を昇圧回路３６にて昇圧して表示部３７に供給する。
【００２８】
以下に、上記のように構成された情報表示装置１の動作について説明する。
【００２９】
図３は、図１に示した情報表示装置１の利用形態を示す図であり、図４は、図１に示した情報表示装置１を図３に示したように利用した場合の動作を説明するためのフローチャートである。
【００３０】
図１に示した情報表示装置１は、例えば図３に示すように、パソコン５に接続されたリーダライタ４に近接することにより、リーダライタ４から送信されてくる情報を表示するために利用される。
【００３１】
リーダライタ４が情報表示装置１に近接すると、情報表示装置１のアンテナ３１がリーダライタ４からの電波に共振してアンテナ３１に起電力が生じてＵＨＦチップ２３が起動するとともに、リーダライタ４からＩＤ送信要求が送信される（ステップＳ１）。このＩＤ送信要求は、リーダライタ４が情報表示装置１を認識するためのものであって、情報表示装置１のＵＨＦチップ２３に予め付与されているＩＤの送信を要求するものである。
【００３２】
リーダライタ４から送信されたＩＤ送信要求がＵＨＦチップ２３にて受信されると（ステップＳ２）、ＵＨＦチップ２３において予め付与されたＩＤがアンテナ３１を介して送信される（ステップＳ３）。
【００３３】
ＵＨＦチップ２３から送信されたＩＤがリーダライタ４にて受信されると（ステップＳ４）、このＩＤに対応する情報表示装置１の表示部３７に表示すべき情報がパソコン５からリーダライタ４を介して送信される（ステップＳ５）。
【００３４】
リーダライタ４から送信された表示部３７に表示すべき情報は、アンテナ３１を介してＵＨＦチップ２３にて受信され（ステップＳ６）、ＵＨＦチップ２３内のメモリ３３に記憶される（ステップＳ７）。
【００３５】
すると、ＵＨＦチップ２３において、表示部３７に表示すべき情報をリーダライタ４から受信した旨を示すパルス信号がＣＰＵ３５に対して送信される（ステップＳ８）。なお、ＵＨＦチップ２３内のメモリ３３の記憶領域には、リーダライタ４から送信された表示部３７に表示すべき情報が記憶される領域が設けられており、その領域に情報が記憶された場合にＵＨＦチップ２３からパルス信号が送信されることになる。
【００３６】
ＵＨＦチップ２３から送信されたパルス信号がＣＰＵ３５にて受信されると（ステップＳ９）、ＣＰＵ３５が起動状態となる（ステップＳ１０）。ＣＰＵ３５は、通常は、バッテリー３４の電力によって起動しているものの、ＵＨＦチップ２３から送信されたパルス信号を受信するのみのスリープ状態となっており、ＵＨＦチップ２３から送信されたパルス信号を受信することにより起動状態となる。これにより、バッテリー３４の消耗を低減することができる。
【００３７】
ＣＰＵ３５が起動すると、ＵＨＦチップ２３のメモリ３３に記憶された情報がＣＰＵ３５において読み出され（ステップＳ１１）、表示部３７に表示すべき情報が更新されているかどうかが確認される（ステップＳ１２）。ここで、リーダライタ４からの電波によってアンテナ３１に生じた起電力は不安定であるため、ＵＨＦチップ２３のメモリ３３に記憶された情報をその電力を用いてＣＰＵ３５に送信することは好ましくはない。そのため、上記のように、アンテナ３１を介してリーダライタ４から受信してメモリ３３に記憶した情報をＣＰＵ３５に送信するのではなく、まず、リーダライタ４から送信された表示部３７に表示すべき情報がメモリ３３に記憶された場合にその旨を示す信号がＵＨＦチップ２３からＣＰＵ３５に送信され、その後、ＣＰＵ３５において、メモリ３３に記憶された情報が読み出されて更新されているかどうかが確認されることになる。
【００３８】
ＵＨＦチップ２３は、メモリ３３にリーダライタ４から送信された表示部３７に表示すべき情報が記憶された場合にパルス信号を送信するが、表示部３７に表示すべき情報が変わらない場合、すなわち、リーダライタ４から送信された表示部３７に表示すべき情報が同一のものである場合、情報表示層１２が上述したように、情報が表示された後、電力が供給されずに表示電極２１ａ〜２１ｇと透明電極１３との間に電位差が生じなくなっても、現在表示している情報を表示し続けるものであるため、ＣＰＵ３５によって表示部３７の表示を制御する必要はない。
【００３９】
そのため、ＣＰＵ３５においては、通常は、バッテリー３４の電力を表示部３７に供給しておらず、表示部３７に表示すべき情報が更新された場合にのみ、バッテリー３４の電力を表示部３７に供給する。
【００４０】
表示部３７に表示すべき情報が更新された場合は、まず、ＣＰＵ３５の制御によって昇圧回路３６が起動し（ステップＳ１３）、バッテリー３４の電力が昇圧されてメモリ３３から読み出された情報に応じて表示部３７に供給される。そして、ＣＰＵ３５から表示部３７に送信されたクロック信号に従って、表示部３７内のドライバにおいて、昇圧回路３６を介して供給された電力を用いて表示電極２１ａ〜２１ｇ及び透明電極１３に所定の電圧が印加されることにより、表示電極２１ａ〜２１ｇと透明電極１３との間に電位差が生じ（ステップＳ１４）、リーダライタ４から送信されてきた情報が表示部３７に表示されることになる（ステップＳ１５）。これにより、表示部３７にて情報が表示されていない場合は新たに情報が表示され、また、表示部３７にて情報が表示されている場合は、表示される情報が更新される。
【００４１】
ＣＰＵ３５は、このように表示部３７に新たに情報を表示したり、表示部３７に表示された情報を更新したりした後、再びスリープ状態に戻る（ステップＳ１６）。そして、ＵＨＦチップ２３から上述したパルス信号を受信するまでスリープ状態のままとなる。
【００４２】
このように、本形態においては、アンテナ３１を介して受信した表示部３７に表示すべき情報が更新された場合にバッテリー３４の電力が表示部３７に供給されて更新された情報が表示され、それ以外の場合は、バッテリー３４の電力が表示部３７に供給されずに、表示部３７に表示されている情報がそのまま表示されるので、表示部３７にて表示すべき情報が更新された場合、その情報を表示部３７にて表示するために十分な電力が表示部３７に供給されて情報が確実に表示されながらも、バッテリー３４が無駄に消耗してしまうことがなくなる。
【００４３】
また、本形態においては、アンテナとしてＵＨＦ帯用のアンテナ３１を例に挙げて説明したが、本発明に用いるアンテナは、非接触通信アンテナであればいかなるものでもかまわない。特に、数百メガヘルツ以上の、マイクロ波帯やＵＨＦ帯（極超短波帯）を用いて非接触通信を行うものにおいては、リーダライタから非接触通信で供給される電力が小さいため、表示部３７にて情報を表示するためには、それだけでは十分な電力を得ることが難しく、他の電源が必要となる。そのため、上記のようなアンテナを有するものにおいては、内蔵されたバッテリー３４は、表示部３７にて情報を表示するという大きな役割を果たすこととなり、その際、本発明のように、バッテリー３４には表示部３７にて情報を表示させる以外に電力を使わせない構成とすることにより、従来にはない大きな効果を得ることができる。
【符号の説明】
【００４４】
１    情報表示装置
２    可変表示部
３    固定表示部
４    リーダライタ
５    パソコン
１１    ベース基材
１２    情報表示層
１３    透明電極
１４    透明基板
１５    透明導電膜基板
１６    マスク層
１７    印刷層
２１ａ〜２１ｇ    表示電極
２２ａ〜２２ｇ    配線
２３    ＵＨＦチップ
２４ａ，２４ｂ    導体部
３１    アンテナ
３３    メモリ
３４    バッテリー
３５    ＣＰＵ
３６    昇圧回路
３７    表示部
【図１】
2012118613.tif 000003
【図２】
2012118613.tif 000004
【図３】
2012118613.tif 000005
【図４】
2012118613.tif 000006